(57)【要約】【課題】水域に対する仮締切りを容易に行うことができる仮締切り方法等を提供する。【解決手段】側壁部２および底部４により構成され接合面が開放される、内部が少なくとも浮体部１００、４００、流入部２００、注水部３００に区画された仮締切り構造体１を、側壁部２を横方向にして水面に浮いた状態から、注水部３００に注水し、流入部２００に水を流入させることによって、底部４より水中に沈降させ、側壁部２を縦方向にして水面に浮いた状態とする。そして、仮締切り構造体１を、ダム堤体３の側面３ａに、接合面に形成される側壁部２および底部４の端面が沿うように配置する。その後、仮締切り構造体１とダム堤体３の側面３ａで囲まれる空間を排水する。【選択図】図８
2011231524.tif 000002
【特許請求の範囲】
【請求項１】
側壁部および底部により構成され一部の側面が開放され、内部が、少なくとも、流路を介して注水可能な第１の空間と、少なくとも一部で前記側壁部に開口部が形成された第２の空間と、密閉された空間である第３の空間と、に区画された仮締切り構造体を、前記側壁部を横方向にして水面に浮いた状態から、前記第１の空間に注水し、前記第２の空間に水を流入させることによって、前記底部より水中に沈降させ前記側壁部を縦方向にして水面に浮いた状態とする工程（ａ）と、
前記仮締切り構造体を、少なくとも一部が水面下にある対象物の側面に、開放された前記側面に形成される前記側壁部および前記底部の端面が沿うように配置する工程（ｂ）と、
前記仮締切り構造体と前記対象物の側面で囲まれる空間を排水する工程（ｃ）と、
を具備することを特徴とする仮締切り方法。
【請求項２】
前記工程（ｂ）において、
前記側壁部の上部に設けた引寄せ材により前記仮締切り構造体を前記対象物の側面に引寄せて圧着させることを特徴とする請求項１記載の仮締切り方法。
【請求項３】
前記仮締切り構造体において、前記側壁部および底部の端面には止水突起部が連続するように設けられるとともに、前記仮締切り構造体で前記止水突起部の外側にはシート状の止水スカート部が連続するように設けられ、
前記工程（ｃ）において、
前記止水突起部が、前記対象物の側面の形状、および前記端面と前記対象物の側面との距離に合わせて変形しつつ前記対象物の側面に接しているとともに、
前記止水スカート部が、前記対象物の側面に接していることを特徴とする請求項１記載の仮締切り方法。
【請求項４】
前記工程（ｃ）において、前記側壁部に設けられた折曲り部で前記側壁部が折曲ることにより、前記仮締切り構造体が前記対象物の側面の鉛直方向の形状に沿って配置されていることを特徴とする請求項１記載の仮締切り方法。
【請求項５】
側壁部および底部により構成され一部の側面が開放され、内部が、少なくとも、
流路を介して注水可能な第１の空間と、
少なくとも一部で前記側壁部に開口部が形成された第２の空間と、
密閉された空間である第３の空間と、
に区画されることを特徴とする仮締切り構造体。
【請求項６】
前記仮締切り構造体を対象物に引寄せるための引寄せ材が、前記側壁部の上部に設けられることを特徴とする請求項５記載の仮締切り構造体。
【請求項７】
開放された前記側面に形成される前記側壁部および前記底部の端面には、変形可能な止水突起部が連続するように設けられ、
前記止水突起部の外側には、シート状の止水スカート部が連続するように設けられることを特徴とする請求項５記載の仮締切り構造体。
【請求項８】
前記側壁部に折曲り部が設けられ、
前記側壁部が前記折曲り部で折曲ることにより前記仮締切り構造体の鉛直方向の形状が変化することを特徴とする請求項５記載の仮締切り構造体。
【発明の詳細な説明】
【技術分野】
【０００１】
本発明は仮締切り方法、仮締切り構造体に関する。より詳しくは、水中の対象物に仮締切り構造体を配置して水域に対する仮締切りを行う仮締切り方法、およびこれに用いる仮締切り構造体に関する。
【背景技術】
【０００２】
ダム等では、例えば洪水調節容量の確保や発電量の増大のために、既設の放流管に加えて新たに放流管を設ける場合がある。放流管は、ダム外部とダム湖を貫通するように設けられ、ダム湖側での作業が必要となる。
【０００３】
放流管の新設は、ダム湖の低水位時に行われる場合もあるが、工期が限定されるなどの問題がある。そのため、放流管の新設時には、放流管の施工作業を行う空間をダム湖の水域と隔てるための仮締切り設備をダム堤体に設け、当該空間内で作業を行う手法がとられる場合がある。
【０００４】
例えば、基礎地盤に水中コンクリートを打設し、打設した水中コンクリート上に仮締切り用の隔壁を下部から順次組み立ててゆき、隔壁内部を排水して作業空間を形成する。
【０００５】
また、特許文献１には、工場で製造した仮締切り用の構造体をダム湖の設置現場まで曳航し、構造体の内部に注水を行い、略垂直状態としたあとダム堤体の壁面に取り付け、当該構造体の内側を排水し作業空間とする方法が記載されている。
【先行技術文献】
【特許文献】
【０００６】
【特許文献１】特開２００８−９５３３０号公報
【発明の概要】
【発明が解決しようとする課題】
【０００７】
しかしながら、例えば隔壁を下から順次組み立ててゆく方法では、ダム堤体にクレーンを取り付けて隔壁の設置、撤去を行うなど作業が大掛かりとなり、また水中コンクリートの打設の際のダイバー作業、水中コンクリートの品質確保など、作業が困難になる等の問題があった。
【０００８】
特許文献１の方法は、これらの問題を軽減することができるが、仮締切り用の構造体を略垂直状態とするためには構造体の内部に多量の注水を行うなどの必要がある。
【０００９】
本発明は、前述した問題点に鑑みてなされたもので、水域に対する仮締切りを容易に行うことができる仮締切り方法等を提供することを目的とする。
【課題を解決するための手段】
【００１０】
前述の目的を達するための第１の発明は、側壁部および底部により構成され一部の側面が開放され、内部が、少なくとも、流路を介して注水可能な第１の空間と、少なくとも一部で前記側壁部に開口部が形成された第２の空間と、密閉された空間である第３の空間と、に区画された仮締切り構造体を、前記側壁部を横方向にして水面に浮いた状態から、前記第１の空間に注水し、前記第２の空間に水を流入させることによって、前記底部より水中に沈降させ前記側壁部を縦方向にして水面に浮いた状態とする工程（ａ）と、前記仮締切り構造体を、少なくとも一部が水面下にある対象物の側面に、開放された前記側面に形成される前記側壁部および前記底部の端面が沿うように配置する工程（ｂ）と、前記仮締切り構造体と前記対象物の側面で囲まれる空間を排水する工程（ｃ）と、を具備することを特徴とする仮締切り方法である。
【００１１】
また、前記工程（ｂ）において、前記側壁部の上部に設けた引寄せ材により前記仮締切り構造体を前記対象物の側面に引寄せて圧着させることが望ましい。
【００１２】
前記仮締切り構造体において、前記側壁部および底部の端面には止水突起部が連続するように設けられるとともに、前記仮締切り構造体で前記止水突起部の外側にはシート状の止水スカート部が連続するように設けられ、前記工程（ｃ）において、前記止水突起部が、前記対象物の側面の形状、および前記端面と前記対象物の側面との距離に合わせて変形しつつ前記対象物の側面に接しているとともに、前記止水スカート部が、前記対象物の側面に接していることも望ましい。
【００１３】
また、前記工程（ｃ）において、前記側壁部に設けられた折曲り部で前記側壁部が折曲ることにより、前記仮締切り構造体が前記対象物の側面の鉛直方向の形状に沿って配置されていることも望ましい。
【００１４】
前述した目的を達するための第２の発明は、側壁部および底部により構成され一部の側面が開放され、内部が、少なくとも、流路を介して注水可能な第１の空間と、少なくとも一部で前記側壁部に開口部が形成された第２の空間と、密閉された空間である第３の空間と、に区画されることを特徴とすることを特徴とする仮締切り構造体である。
【００１５】
また、前記仮締切り構造体を対象物に引寄せるための引寄せ材が、前記側壁部の上部に設けられることが望ましい。
【００１６】
加えて、開放された前記側面に形成される前記側壁部および前記底部の端面には、変形可能な止水突起部が連続するように設けられ、前記止水突起部の外側には、シート状の止水スカート部が連続するように設けられることも望ましい。
【００１７】
さらに、前記側壁部に折曲り部が設けられ、前記側壁部が前記折曲り部で折曲ることにより前記仮締切り構造体の鉛直方向の形状が変化することも望ましい。
【００１８】
上記の構成により、予め製作した仮締切り構造体をダム堤体等の水中の対象物に配置し仮締切りを行うので、水中コンクリートの施工やクレーン等の設置の必要が無く、ダイバー作業を減少させるなど、工事を簡略化することが可能になる。そして、仮締切り構造体を横方向に寝かせた状態から縦方向に立ち上がった状態とする際に、第１の空間に注水しつつ第２の空間に水を流入させるので、少ない注水量で容易にこれを行うことができる。また、仮締切り構造体をダム堤体等に取り付ける際に、側壁部の上部に設けた引寄せ材を用いて引寄せて圧着することにより、水圧による接合時に上部における水圧の低さを補うことができる。また、仮締切り構造体の端面に設けた変形可能な止水突起部が、ダム堤体等の側面の形状と、ダム堤体等と仮締切り構造体との距離に応じて変形するとともに、止水突起部の外側に設けた止水スカート部が、ダム堤体等の側面に接するので、仮締切り構造体とダム堤体等とで囲まれる空間に水が流入することが防がれる。また、側壁部に折曲り部を設け、側壁部をダム堤体等の側面の鉛直方向の形状に沿って鉛直方向に変形させつつ配置することができ、ダム堤体等と仮締切り構造体の密着性をより高めることができる。
【発明の効果】
【００１９】
本発明により、水域に対する仮締切りを容易に行うことができる仮締切り方法等を提供することができる。
【図面の簡単な説明】
【００２０】
【図１】ダム堤体３に仮締切り構造体１を設置した状態を示す図
【図２】仮締切り構造体１を示す図
【図３】側壁部２および底部４の接合面を示す図
【図４】側壁部２および底部４の構成を示す図
【図５】側壁部２および底部４の構成を示す図
【図６】仮締切り方法の流れを示す図
【図７】仮締切り方法の流れを示す図
【図８】仮締切り構造体１の状態を示す図
【図９】止水突起部１１等の状態を示す図
【図１０】側壁部２の例を示す図
【発明を実施するための形態】
【００２１】
以下図面を参照しながら、本発明の仮締切り方法等の実施形態について説明する。
【００２２】
図１は、本実施形態の仮締切り方法により、ダム堤体３に仮締切り構造体１を配置し、仮締切り構造体１とダム堤体３で囲まれた空間１０の水域に対する仮締切りを行った状態を示す図である。
【００２３】
仮締切り構造体１は、上端部が水面７の上に突出するようにダム堤体３のダム湖５側の側面３ａに沿って配置され、仮締切り構造体１とダム堤体３とで囲まれる空間１０が水域と隔てられ気中状態となっている。そして当該空間１０にて水圧管路９の施工作業が行われ、ダム堤体３に水圧管路９が設けられる。水圧管路９のダム湖５側の開口部には、蓋体８が設けられる。
【００２４】
次に、仮締切り構造体１の構成について、図２から図５を用いて説明する。
【００２５】
図２は、仮締切り構造体１を示す図で、図２（ａ）は仮締切り構造体１の平面を示す図、図２（ｂ）は仮締切り構造体１を図２（ａ）の方向Ａからみた側面を示す図、図２（ｃ）は仮締切り構造体１の図２（ａ）の線Ｂ−Ｂ’による垂直方向断面を示す図である。
【００２６】
図に示すように、仮締切り構造体１は平面が半円形の底部４と、底部４の平面の円周部に沿って形成される側壁部２を有し、図２（ｂ）で示す、底部４の平面の直線部分に対応する側面が開放された構造体である。当該側面は、図１に示す仮締切り構造体１による仮締切り時に、仮締切り構造体１がダム堤体３の側面３ａと接合する面であり、以降接合面と称する。なお、仮締切り構造体１の形状はこれに限ることはない。例えば、底部４の平面を矩形状のものとし、その三辺に側壁部２を設け、残りの一辺に対応する側面を開放したものであってもよい。
【００２７】
仮締切り構造体１は、図２（ｃ）に示すように、側壁部２および底部４の内部が、高さ方向に上から順に浮体部１００、流入部２００、注水部３００、浮体部４００にそれぞれ区画され他と隔てられる。詳細は後述するが、浮体部１００、４００（第３の空間）は密閉された空間である。流入部２００（第２の空間）では側壁部２の内側鋼板の少なくとも一部に開口部が設けられ、側壁部２の外部と通じている。注水部３００（第１の空間）は流路を介して側壁部２の上端部で側壁部２の外部と通じている。
【００２８】
図３は、仮締切り構造体１の接合面の詳細を示した図である。
【００２９】
図に示すように、仮締切り構造体１の接合面に形成される側壁部２および底部４の端面においては、止水突起部１１が、外側（１１ａ）および内側（１１ｂ）で、側壁部２および底部４の端面に沿って連続するように設けられている。止水突起部１１は例えばゴムで形成される錐台状の部材である。
【００３０】
なお、止水突起部１１はこれに限らず、例えばゴムによるシート状の部材を伸縮自在な部材で突起高さ方向に押し上げた状態としたものであってもよい。
【００３１】
側壁部２および底部４の端面において、止水突起部１１（１１ａ、１１ｂ）の間には、突出部１２が形成される。突出部１２は、例えば鋼板で形成される外殻の内部にモルタル等を充填して形成されるが、これに限ることはない。
【００３２】
仮締切り構造体１の止水突起部１１の外側では、側壁部２および底部４の端部の外側面に、側壁部２および底部４に沿ってスカート状に連続するように、止水スカート部１５が取り付けられる。止水スカート部１５は、例えばゴムによるシート状の部材である。
【００３３】
また、側壁部２の端部においては、その上部にジャッキ１６が内蔵される。ジャッキ１６は、後述する仮締切り構造体１の配置の際に側壁部２の端面から引き出して、仮締切り構造体１とダム堤体３の側面３ａを引寄せて圧着するために用いられる引寄せ材である。なお、図３では側壁部２の両端部で略同じ高さに設けるジャッキ１６の２組計４つを示しているが、ジャッキ１６を設ける数や位置は、目的に応じて適宜定めることができる。また、ジャッキ１６の代わりにジャッキ取付部を設け、仮締切り構造体１の配置の際にジャッキ１６を仮締切り構造体１のジャッキ取付部に取付けることなどもできる。
【００３４】
次に、側壁部２および底部４の構成について、図４、５を用いて説明する。
【００３５】
図４、図５はそれぞれ側壁部２および底部４の構成について示す図である。図４（ａ）は、図２（ａ）の線Ｂ−Ｂ’による仮締切り構造体１の垂直方向断面の詳細を示す図である。図４（ｂ）は内側鋼板２１ｂの一部を示す図であり、図４（ａ）の方向Ｅで示す接合面の方向からみた図である。図５（ａ）は仮締切り構造体１の図２（ｃ）の線Ｃ−Ｃ’による水平方向断面を示す図、図５（ｂ）は仮締切り構造体１の図２（ｃ）の線Ｄ−Ｄ’による水平方向断面を示す図である。
【００３６】
図４、５に示すように、側壁部２および底部４は、垂直方向の鋼板２１、２９、水平方向の鋼板２３を溶接等により接続し組み合わせることにより構成される。鋼板２１は平面の円周方向に沿って配置され、鋼板２９は平面の径方向に沿って配置される。なお、側壁部２の外側と内側には、垂直方向の鋼板２１である外側鋼板２１ａと内側鋼板２１ｂがそれぞれ設けられている。側壁部２の内部では、外側鋼板２１ａ、内側鋼板２１ｂに沿って鉛直方向にＨ型鋼等の鉛直方向部材２５が設けられている。
【００３７】
仮締切り構造体１は、後述する、ダム堤体３の側面３ａに沿って仮締切り構造体１を配置して空間１０を排水した際生じる周囲の水圧や、仮締切り構造体１の自重や浮力等に伴う鉛直方向荷重を考慮して設計するとよい。例えば側壁部２は、周囲の水圧により生じる円周方向の応力を考慮し、これに耐えうるように設計するとよい。
【００３８】
そして、前述したように、側壁部２および底部４の内部は、高さ方向に浮体部１００、流入部２００、注水部３００、浮体部４００にそれぞれ区画されている。
【００３９】
側壁部２の内部には、管体２４が設けられる。管体２４は側壁部２の上端部に設けた開口から、鉛直方向に向かって配置され、下端部が注水部３００に達するように設けられる。後述する仮締切り構造体１の立ち上がり時には、管体２４を介して注水部３００にバラスト水の注水を行う。
【００４０】
また、側壁部２で流入部２００に対応する位置の内側鋼板２１ｂには、図４（ｂ）に示すように、開口部２７が設けられる。開口部２７を設けることにより、後述する仮締切り構造体１の立ち上がり時に、側壁部２の流入部２００にダム湖５の水を流入させる。なお、流入部２００は、仮締切り構造体１の立ち上がり時に周囲の水が流入するように設ければよく、開口部２７の形状等これに限ることはない。ただし、開口部２７は、内側鋼板２１ｂに設けることが望ましい。これは、外側鋼板２１ａに開口部２７を設けた場合には、空間１０の排水時に、水が流入部２００に流入しているために、水圧により内側鋼板２１ｂに大きな力がかかるためである。例えば内側鋼板２１ｂの溶接は仮締切り構造体１の内側（空間１０側）より行うことが想定されるが、このような溶接箇所には上記の水圧により大きな引張力が働きやすく、破断等の原因となる可能性がある。なお、浮体部１００、４００は、密閉された空間である。
【００４１】
続いて、図６、７を用いて、仮締切り構造体１による仮締切り方法について説明する。
【００４２】
図６（ａ）に示すように、仮締切り構造体１は地上で製作される。地上で製作した仮締切り構造体１は、斜面４１に設けたレール等によりダム湖５へ進水させる。
【００４３】
図６（ｂ）に示すように、ダム湖５においては、タグボート４３等により、仮締切り構造体１を、側壁部２が横方向に配置されるように寝かせた状態で水面７に浮かせつつ曳航する。
【００４４】
ダム湖５で十分な水深を有する位置まで曳航すると、管体２４を介して、側壁部２の注水部３００にバラスト水の注水を行う。すると、仮締切り構造体１の注水部３００の重量が上昇し、浮力との釣り合い状態を保ちつつ、仮締切り構造体１が底部４から沈み出す。底部４から沈み出した仮締切り構造体１の流入部２００には開口部２７を介してダム湖５の水が流れ込み、図６（ｃ）に示すように、仮締切り構造体１は側壁部２を縦方向にして立ち上がり、浮力との釣り合いをとりつつ水面に浮いた状態で安定するようになる。注水部３００への注水量を定めることで、仮締切り構造体１の、立ち上がった状態での水面７からの沈み量を定めることができる。
【００４５】
この状態を説明する図が図８である。側壁部２において、浮体部１００、４００は鋼板により囲まれて水域と隔てられている状態で、それぞれの内部は気体４４、４８であり、浮体として機能する。流入部２００には、開口部２７を介してダム湖５の水４５が流入している状態である。注水部３００は鋼板により囲まれて水域と隔てられている状態であり、内部には所定量のバラスト水４７が注入されている。バラスト水４７の上方の、注水部３００の残りの空間には気体４６が存在する。
【００４６】
浮体部１００、４００、流入部２００、注水部３００を区画する位置は、仮締切り構造体１を安定して曳航させる、あるいは立ち上がった状態で安定させる等の目的に応じて適宜定めてよい。例えば本実施形態では底部４の内部を浮体部４００としているが、底部４を注水部３００として注水を行うことも可能で、底部４に達するように前述の管体２４を設けるとよい。また、注水部３００をはじめ、これらの空間はさらに細かく区画されていてもよい。注水部３００をさらに細かく区画する場合には、区画された各空間に達するように前述の管体２４をそれぞれ設けるとよい。
【００４７】
図６（ｃ）に示す状態からは、図７（ｄ）に示すようにウィンチ４７を使用しつつワイヤ４９、タグボート４３等によりダム堤体３のダム湖５側の側面３ａへと仮締切り構造体１を近づける。なお、この前に側面３ａについては不陸の測量や整形、仮締切り構造体１の位置決めのための誘導ガイドの設置などを行っておく。また仮締切り構造体１についても、ジャッキ１６の引き出し、ウィンチ４７用のアンカーの設置など行っておく。
【００４８】
そして、図７（ｅ）に示すように、仮締切り構造体１のジャッキ１６の端部をダム堤体３に取付け、ジャッキ１６により仮締切り構造体１の上部を側面３ａに引寄せて圧着しつつ、接合面に形成された側壁部２および底部４の端面が側面３ａに沿うようにして仮締切り構造体１をダム堤体３の側面３ａに配置する。
【００４９】
その後、図７（ｆ）に示すように、仮締切り構造体１と側面３ａにより囲まれた空間１０を排水する。すると、水圧により仮締切り構造体１がダム堤体３の側面３ａに押し付けられるようにして接合され、仮締切り構造体１が側面に沿って安定して配置される。なお、仮締切り構造体１の上部では水圧が低いが、上部ではジャッキ１６による圧着により水圧の不足が補われる。空間１０をドライアップした後、空間１０にて施工工事を行い、ダム堤体３を水平方向に貫通するように水圧管路９を設ける。水圧管路９を設けた後、水圧管路９のダム湖５側の開口部に、蓋体８を設ける。
【００５０】
図９は、仮締切り構造体１をダム堤体３に設置する際の、側壁部２の端面の止水突起部１１等の様子を示す図である。
【００５１】
止水突起部１１は、仮締切り構造体１がダム堤体３の側面３ａに沿って配置される前は、図９（ａ）に示す元の形状であるが、仮締切り構造体１を側面３ａに沿って配置し、仮締切り構造体１とダム堤体３で囲まれる空間１０を排水する際には、まず図９（ｂ）に示すように側面３ａに接する。そして、周囲の水圧により仮締切り構造体１がダム堤体３側に押し付けられることに伴って、止水突起部１１は、図９（ｃ）に示すように、側面３ａに接する面がダム堤体３の側面３ａの（不陸）形状に合わせて変形するとともに、側壁部２の端面と側面３ａとの距離に応じてその突起長さを縮めるように変形し、空間１０に対する止水機能を果たす。さらに、止水突起部１１には、側面３ａとの摩擦力により鉛直方向の荷重を負担させることができる。
【００５２】
なお、止水突起部１１の突起長さは、突出部１２が側面３ａに接するまで、即ち突出部１２の突出長さまで縮ませることが可能である。止水突起部１１が突出部１２の突出長さまで縮んだ際には、突出部１２も側面３ａに接し、水圧による円周方向の応力を側面３ａに伝達する。突起長さなど、止水突起部１１の大きさや形状、材質等は、側面３ａの形状等に合わせて、止水機能を果たし得るように適宜定めることができる。また突出長さなど、突出部１２の大きさや形状、材質等も、必要な強度等の目的に応じて適宜定めてよい。
【００５３】
また、図９（ｂ）等に示すように、止水突起部１１の外側に設けられたシート状の部材である止水スカート部１５は、仮締切り構造体１の端面と側面３ａの距離に対して当該端面からの長さに余裕が設けられる。空間１０の排水中は、周囲の水が仮締切り構造体１の止水突起部１１と側面３ａの隙間を通って空間１０へ幾分か流れ込むが、この際に、図９（ｃ）に示すように止水スカート部１５は内側へ押されて側面３ａに接し仮締切り構造体１と側面３ａとの間の隙間を閉じる。これにより、止水スカート部１５によっても止水が行われる。なお、止水スカート部１５が側面３ａに接するようにするためには、適宜ダイバー作業等行ってもよい。
【００５４】
水圧管路９の施工が完了すれば、空間１０に注水し、ジャッキ１６を側面３ａから取り外して側壁部２の端部に収納し、図７（ｇ）に示すように仮締切り構造体１とダム堤体３との接合状態を解除し、仮締切り構造体１をダム堤体３から取り外す。取り外した仮締切り構造体１は、他の箇所の仮締切りを行うために移動し転用することが可能である。
【００５５】
仮締切り構造体１については、図１０に示すように、側壁部２の内側鋼板２１ａ、外側鋼板２１ｂにそれぞれ折曲り部６１（６１ａ、６１ｂ）を設け、折曲り部６１で側壁部２が折曲ることにより、鉛直方向に変形可能とするようにしてもよい。このとき、仮締切り構造体１は、ダム堤体３の側面３ａに配置し水圧による接合を行う際に、図１０（ａ）に示す元の状態から、図１０（ｂ）に示すように折曲り部６１で折曲り、ダム堤体３の側面３ａに沿って鉛直方向に変形し、側面３ａに沿ってより密着するようになるので好適である。このとき鉛直方向部材２５等は、側壁部２の変形を妨げないよう折曲り部６１に対応する箇所には設けないようにすることが望ましいが、折曲がり部６１に対応する位置で、鉛直方向部材２５を上下につなぐように弾性を有する部材を設けてもよい。また、図示していないが、管路２４等も、側壁部２の変形に伴って追随するように可とう性を持たせておくことが望ましい。
【００５６】
また、仮締切り構造体１は、現場で一体として製作するほか、予め工場等で製作した複数のブロックを運搬して現場で組み立てて製作し、使用後は分解し運搬を行うものであってもよい。
【００５７】
以上説明したように、本発明の仮締切り方法等の実施形態によれば、予め製作した仮締切り構造体１をダム堤体３等の水中の対象物に配置し仮締切りを行うので、水中コンクリートの施工やクレーン等の設置の必要が無く、ダイバー作業を減少させるなど、工事を簡略化することが可能になる。そして、仮締切り構造体１を横方向に寝かせた状態から縦方向に立ち上がった状態とする際に、注水部３００に注水しつつ流入部２００に水を流入させるので、少ない注水量で容易にこれを行うことができる。また、仮締切り構造体１をダム堤体３に取り付ける際に、側壁部２の上部に設けたジャッキ１６を用いて引寄せて圧着することにより、水圧による接合時に上部における水圧の低さを補うことができる。また、仮締切り構造体１の端面に設けた変形可能な止水突起部１１が、ダム堤体３の側面３ａの形状と、ダム堤体３と仮締切り構造体１との距離に応じて変形するとともに、止水突起部１１の外側に設けた止水スカート部１５が、ダム堤体３の側面３ａに接するので、仮締切り構造体１とダム堤体３とで囲まれる空間１０にダム湖５の水が流入することが防がれる。また、側壁部２に折れ曲り部６１を設け、側壁部２をダム堤体３の側面３ａの鉛直方向の形状に沿って鉛直方向に変形させつつ配置することができ、ダム堤体３と仮締切り構造体１の密着性をより高めることができる。
【００５８】
以上、添付図面を参照しながら、本発明に係る仮締切り方法等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００５９】
１………仮締切り構造体
２………側壁部
３………ダム堤体
３ａ………側面
４………底部
５………ダム湖
７………水面
９………水圧管路
１０………空間
１１………止水突起部
１２………突出部
１５………止水スカート部
１６………ジャッキ
２１、２３、２９………鋼板
２７………開口部
６１………折曲り部
１００、４００………浮体部
２００………流入部
３００………注水部
【図１】
2011231524.tif 000003
【図２】
2011231524.tif 000004
【図３】
2011231524.tif 000005
【図４】
2011231524.tif 000006
【図５】
2011231524.tif 000007
【図６】
2011231524.tif 000008
【図７】
2011231524.tif 000009
【図８】
2011231524.tif 000010
【図９】
2011231524.tif 000011
【図１０】
2011231524.tif 000012
【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
側壁部および底部により構成され一部の側面が開放され、内部が、少なくとも、流路を介して注水可能な第１の空間と、少なくとも一部で前記側壁部に開口部が形成された第２の空間と、密閉された空間である第３の空間と、に区画された仮締切り構造体を、前記側壁部を横方向にして水面に浮いた状態から、前記第１の空間に注水し、前記第２の空間に水を流入させることによって、前記底部より水中に沈降させ前記側壁部を縦方向にして水面に浮いた状態とする工程（ａ）と、
前記仮締切り構造体を、少なくとも一部が水面下にある対象物の側面に、開放された前記側面に形成される前記側壁部および前記底部の端面が沿うように配置する工程（ｂ）と、
前記仮締切り構造体と前記対象物の側面で囲まれる空間を排水する工程（ｃ）と、
を具備し、
前記工程（ｃ）において、前記側壁部に設けられた折曲り部で前記側壁部が折曲ることにより、前記仮締切り構造体が前記対象物の側面の鉛直方向の形状に沿って配置されていることを特徴とする仮締切り方法。
【請求項２】
前記工程（ｂ）において、
前記側壁部の上部に設けた引寄せ材により前記仮締切り構造体を前記対象物の側面に引寄せて圧着させることを特徴とする請求項１記載の仮締切り方法。
【請求項３】
前記仮締切り構造体において、前記側壁部および底部の端面には止水突起部が連続するように設けられるとともに、前記仮締切り構造体で前記止水突起部の外側にはシート状の止水スカート部が連続するように設けられ、
前記工程（ｃ）において、
前記止水突起部が、前記対象物の側面の形状、および前記端面と前記対象物の側面との距離に合わせて変形しつつ前記対象物の側面に接しているとともに、
前記止水スカート部が、前記対象物の側面に接していることを特徴とする請求項１記載の仮締切り方法。
【請求項４】
側壁部および底部により構成され一部の側面が開放され、内部が、少なくとも、
流路を介して注水可能な第１の空間と、
少なくとも一部で前記側壁部に開口部が形成された第２の空間と、
密閉された空間である第３の空間と、
に区画され、
前記側壁部に折曲り部が設けられ、
前記側壁部が前記折曲り部で折曲ることにより前記仮締切り構造体の鉛直方向の形状が変化することを特徴とする仮締切り構造体。
【請求項５】
前記仮締切り構造体を対象物に引寄せるための引寄せ材が、前記側壁部の上部に設けられることを特徴とする請求項４記載の仮締切り構造体。
【請求項６】
開放された前記側面に形成される前記側壁部および前記底部の端面には、変形可能な止水突起部が連続するように設けられ、
前記止水突起部の外側には、シート状の止水スカート部が連続するように設けられることを特徴とする請求項４記載の仮締切り構造体。
【手続補正２】
【補正対象書類名】明細書
【補正対象項目名】００１０
【補正方法】変更
【補正の内容】
【００１０】
前述の目的を達するための第１の発明は、側壁部および底部により構成され一部の側面が開放され、内部が、少なくとも、流路を介して注水可能な第１の空間と、少なくとも一部で前記側壁部に開口部が形成された第２の空間と、密閉された空間である第３の空間と、に区画された仮締切り構造体を、前記側壁部を横方向にして水面に浮いた状態から、前記第１の空間に注水し、前記第２の空間に水を流入させることによって、前記底部より水中に沈降させ前記側壁部を縦方向にして水面に浮いた状態とする工程（ａ）と、前記仮締切り構造体を、少なくとも一部が水面下にある対象物の側面に、開放された前記側面に形成される前記側壁部および前記底部の端面が沿うように配置する工程（ｂ）と、前記仮締切り構造体と前記対象物の側面で囲まれる空間を排水する工程（ｃ）と、を具備し、前記工程（ｃ）において、前記側壁部に設けられた折曲り部で前記側壁部が折曲ることにより、前記仮締切り構造体が前記対象物の側面の鉛直方向の形状に沿って配置されていることを特徴とする仮締切り方法である。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
前述した目的を達するための第２の発明は、側壁部および底部により構成され一部の側面が開放され、内部が、少なくとも、流路を介して注水可能な第１の空間と、少なくとも一部で前記側壁部に開口部が形成された第２の空間と、密閉された空間である第３の空間と、に区画され、前記側壁部に折曲り部が設けられ、前記側壁部が前記折曲り部で折曲ることにより前記仮締切り構造体の鉛直方向の形状が変化することを特徴とする仮締切り構造体である。
【手続補正５】
【補正対象書類名】明細書
【補正対象項目名】００１７
【補正方法】削除
【補正の内容】